(57)【要約】【課題】取付けスペースや重量を増大させずに腕金の両側に箱状機器を取付けることができる箱状機器取付金具を提供すること。【解決手段】箱状機器取付金具１は、金具本体１１と、カラー部材１２とからなり、金具本体１１は、上側腕金取付け片部１１ｅが設けられた上側ブリッジ部１１ａおよび下側腕金取付け片部１１ｆが設けられた下側ブリッジ部１１ｂを有すると共に、上側ブリッジ部１１ａおよび下側ブリッジ部１１ｂの左右両側に箱状機器３１，３２を取付けるための一方側取付け片部１１ｃおよび他方側取付け片部１１ｄとを有し、上側ブリッジ部１１ａと下側ブリッジ部１１ｂとの間に腕金２を通し、上側腕金取付け片部１１ｅのボルト孔１１ｅ１と、腕金２のボルト孔と、カラー部材１２と、下側腕金取付け片部１１ｆのボルト孔１１ｆ１とに角根ボルト９１を通してナット９２により締め付ける。【選択図】図４
2014042392.tif 000002
【特許請求の範囲】
【請求項１】
電柱等からほぼ水平に延びる腕金の左右両側にそれぞれ箱状機器を取付けるための箱状機器取付金具であって、
ほぼ腕金の高さ方向の長さだけ間隔を空けて設けられ水平方向に延びる上側ブリッジ部および下側ブリッジ部とを有し、上側ブリッジ部および下側ブリッジ部の左右両側の一方側には、その一方側の箱状機器を取付けるための一方側取付け片部が設けられている一方、他方側にはその他方側の箱状機器を取付けるための他方側取付け片部が設けられており、上側ブリッジ部と下側ブリッジ部とには、それぞれ、ボルト孔を有する上側腕金取付け片部と下側腕金取付け片部とが設けられた金具本体を有し、
その金具本体は、上側ブリッジ部と下側ブリッジ部との間に腕金を通し、上側腕金取付け片部のボルト孔と、腕金に設けられたボルト孔と、下側腕金取付け片部のボルト孔とを合わせ、それらのボルト孔にボルトを通してナットにより締め付けて腕金に取付けられることを特徴とする箱状機器取付金具。
【請求項２】
請求項１記載の箱状機器取付金具において、
上側腕金取付け片部は、腕金の上側面に接触しながら水平方向に延びるように上側ブリッジ部の下部を水平方向に折り曲げて設けられている一方、下側腕金取付け片部は、腕金の下側面に対し一定の間隔を保持しながら水平方向に延びるように下側ブリッジ部の下部を折り曲げて設けられており、
さらに、腕金の下側面と下側腕金取付け片部の上側面との間の間隔とほぼ同じ長さを有し、腕金の下側面と下側腕金取付け片部の上側面との間に挿入されるカラー部材を設けたことを特徴とする箱状機器取付金具。
【請求項３】
請求項１または請求項２記載の箱状機器取付金具において、
上側ブリッジ部の両側はそれぞれ一方側取付け片部または他方側取付け片部に連続している一方、下側ブリッジ部の片側は一方側取付け片部または他方側取付け片部に連続し、下側ブリッジ部の別の片側は一方側取付け片部または他方側取付け片部に連続せず切り離されていることを特徴とする箱状機器取付金具。
【発明の詳細な説明】
【技術分野】
【０００１】
本発明は、電柱等からほぼ水平に延びる腕金の左右両側にそれぞれ箱状機器を取付けるための箱状機器取付金具に関する。
【背景技術】
【０００２】
従来の箱状機器取付金具として、複数のＬ形金具等により腕金の片側にブレーカーや通信機器等の箱状機器を取付ける金具が提案されている（例えば、特許文献１，２参照。）。
【先行技術文献】
【特許文献】
【０００３】
【特許文献１】特開平９−１８２２６３号公報
【特許文献２】特開平１１−３４６４２５号公報
【発明の概要】
【発明が解決しようとする課題】
【０００４】
しかし、前述の従来の箱状機器取付金具では、腕金の片側にのみ箱状機器を取付けるように構成しているため、腕金の両側に箱状機器を取付けようとすると、２組の箱状機器取付金具が必要になり、コストがかかると共に、腕金における金具の取付けスペースや重量が増大するという問題があった。
【０００５】
特に、最近は、１本の腕金に各携帯電話会社の携帯電話用通信用の箱状機器や棒状アンテナ、ＧＰＳアンテナ、ＷｉＦｉアンテナ等の多数の機器やアンテナを取り付けたいとの要求があるが、電柱等に取付けた腕金には、電柱等から所定長さだけ離した位置で、かつ、所定重量以下で各種機器を設ける等という共架ルールがあり、各種取付金具の取付けスペースをなるべく少なくし、それらの重量を軽減した上で、多数の箱状機器や状アンテナ等を取付けることが要求されている。
【０００６】
そこで、本発明は、このような問題に着目してなされたもので、取付けスペースや重量を増大させずに腕金の両側に箱状機器を取付けることができる箱状機器取付金具を提供することを目的とする。
【課題を解決するための手段】
【０００７】
上記課題を解決するため、本発明に係る箱状機器取付金具は、電柱等からほぼ水平に延びる腕金の左右両側にそれぞれ箱状機器を取付けるための箱状機器取付金具であって、ほぼ腕金の高さ方向の長さだけ間隔を空けて設けられ水平方向に延びる上側ブリッジ部および下側ブリッジ部とを有し、上側ブリッジ部および下側ブリッジ部の左右両側の一方側には、その一方側の箱状機器を取付けるための一方側取付け片部が設けられている一方、他方側にはその他方側の箱状機器を取付けるための他方側取付け片部が設けられており、上側ブリッジ部と下側ブリッジ部とには、それぞれ、ボルト孔を有する上側腕金取付け片部と下側腕金取付け片部とが設けられた金具本体を有し、その金具本体は、上側ブリッジ部と下側ブリッジ部との間に腕金を通し、上側腕金取付け片部のボルト孔と、腕金に設けられたボルト孔と、下側腕金取付け片部のボルト孔とを合わせ、それらのボルト孔にボルトを通してナットにより締め付けて腕金に取付けられることを特徴とする。
ここで、上側腕金取付け片部は、腕金の上側面に接触しながら水平方向に延びるように上側ブリッジ部の下部を水平方向に折り曲げて設けられている一方、下側腕金取付け片部は、腕金の下側面に対し一定の間隔を保持しながら水平方向に延びるように下側ブリッジ部の下部を折り曲げて設けられており、さらに、腕金の下側面と下側腕金取付け片部の上側面との間の間隔とほぼ同じ長さを有し、腕金の下側面と下側腕金取付け片部の上側面との間に挿入されるカラー部材を設けるようにしても良い。
また、上側ブリッジ部の両側はそれぞれ一方側取付け片部または他方側取付け片部に連続している一方、下側ブリッジ部の片側は一方側取付け片部または他方側取付け片部に連続し、下側ブリッジ部の別の片側は一方側取付け片部または他方側取付け片部に連続せず切り離されているようにしても良い。
【発明の効果】
【０００８】
本発明の箱状機器取付金具は、上側腕金取付け片部が設けられた上側ブリッジ部および下側腕金取付け片部が設けられた下側ブリッジ部を有すると共に、上側ブリッジ部および下側ブリッジ部の左右両側に箱状機器を取付けるための一方側取付け片部および他方側取付け片部を有する金具本体を有し、その金具本体は、上側ブリッジ部と下側ブリッジ部との間に腕金を通し、上側腕金取付け片部のボルト孔と、腕金に設けられたボルト孔と、下側腕金取付け片部のボルト孔とを合わせ、それらのボルト孔にボルトを通してナットにより締め付けて腕金に取付けるようにしたため、取付けスペースや重量を増大させずに腕金の両側に箱状機器を取付けることができる。
【図面の簡単な説明】
【０００９】
【図１】本発明に係る箱状機器取付金具を使用して腕金の両側に箱状機器等を取付けた状態を示す斜視図である。
【図２】本発明に係る箱状機器取付金具を使用して腕金の両側に箱状機器等を取付けた状態を上から見た平面図である。
【図３】本発明に係る箱状機器取付金具を使用して腕金の両側に箱状機器等を取付けた状態を示す正面図である。
【図４】本発明に係る箱状機器取付金具を使用して腕金の両側に箱状機器等を取付けた状態を示す部分拡大斜視図である。
【図５】本発明に係る箱状機器取付金具を構成する金具本体の斜視図である。
【図６】（ａ）〜（ｃ）それぞれ、箱状機器取付金具を構成する金具本体の正面図、右側面図、平面図である。
【図７】（ａ）〜（ｃ）それぞれ、箱状機器取付金具を構成するカラー部材の斜視図、平面図、正面図である。
【図８】本発明に係る箱状機器取付金具等を腕金に取付けた状態を示す正面図である。
【図９】本発明に係る箱状機器取付金具等を腕金に取付けた状態を示す平面図である。
【図１０】本発明に係る箱状機器取付金具を構成する金具本体の変形例の斜視図である。
【図１１】本発明に係る箱状機器取付金具を構成する金具本体の他の変形例の斜視図である。
【図１２】本発明に係る箱状機器取付金具を構成する金具本体の他の変形例の斜視図である。
【発明を実施するための形態】
【００１０】
以下、本発明にかかる箱状機器取付金具の実施形態について、図面を参照して説明する。
【００１１】
図１〜図４に示すように、本発明にかかる箱状機器取付金具１は、支柱や電柱等の柱４からほぼ水平に延びる腕金２の左右両側にそれぞれ箱状機器３１，３２を取付けるためのもので、１枚の金属板からなる金具本体１１と、筒状のカラー部材１２とからなり、箱状機器３１，３２の左右両側に取付けるため２つ使用する。なお、以下では、箱状機器３１としては、例えば、ブレーカーや配線ＢＯＸ等が取り付けられる一方、箱状機器３２としては、携帯電話の無線通信機等が取り付けられるものとして説明する。
【００１２】
なお、図１〜図３において、５は腕金２を柱４に取付けるための公知の腕金取付バンドで、ボルトとナットにより柱４に固定する。また、６１は棒状アンテナ、６２は棒状アンテナ６１を腕金２に取付けるための棒状アンテナ取付金具、７１はＧＰＳアンテナ、７２はＧＰＳアンテナ７１を腕金２に取付けるためのＧＰＳアンテナ取付金具、８１はＷｉＦｉアンテナ、８２はＷｉＦｉアンテナ８１を腕金２に取付けるためのＷｉＦｉアンテナ取付金具であり、これらも公知のものを使用してボルトとナットにより固定する。ここで、図２から明らかなように、棒状アンテナ取付金具６２とＧＰＳアンテナ７２とは、腕金２を介して反対側に対向するように取付けているため、腕金２に固定する際のボルトおよびナットを共用している。
【００１３】
金具本体１１は、図５および図６（ａ）〜（ｃ）に示すように、水平方向に延びる上側ブリッジ部１１ａと下側ブリッジ部１１ｂとを、ほぼ腕金２の高さの間隔を空けて設けており、上側ブリッジ部１１ａは、その両側がそれぞれ箱状機器３１を取付けるための一方側取付け片部１１ｃおよび箱状機器３２を取付けるための他方側取付け片部１１ｄに連続しているのに対し、下側ブリッジ部１１ｂは、他方側取付け片部１１ｄにのみ連続し、一方側取付け片部１１ｃに連続せず切り離されている。なお、下側ブリッジ部１１ｂは、それとは反対に一方側取付け片部１１ｃにのみ連続し、他方側取付け片部１１ｄに連続せず切り離されていても良いし、上側ブリッジ部１１ａと同様に、一方側取付け片部１１ｃおよび他方側取付け片部１１ｄの双方に連続していても良い。
【００１４】
つまり、一方側取付け片部１１ｃと他方側取付け片部１１ｄとは、上側ブリッジ部１１ａによって連結されている。そのため、上側ブリッジ部１１ａには一方側取付け片部１１ｃと他方側取付け片部１１ｄとの連結機能があるため、上側ブリッジ部１１ａの上下方向の幅Ｗ１は、下側ブリッジ部１１ｂの上下方向の幅Ｗ２よりも長くしている。
【００１５】
そして、上側ブリッジ部１１ａの下部は折り曲げられて、腕金２の上側面に接触しながら水平方向に延びる上側腕金取付け片部１１ｅが設けられ、この上側腕金取付け片部１１ｅの中央には、いわゆる角根ボルト９１を使用できるようにほぼ正方形状のボルト孔１１ｅ１が設けられている。また下側ブリッジ部１１ｂの下部も折り曲げられ、腕金２２の下側面に対し一定の間隔を保持しながら水平方向に延びる下側腕金取付け片部１１ｆが設けられており、この下側腕金取付け片部１１ｆの中央には、いわゆる角根ボルト９１を使用できるようにほぼ正方形状のボルト孔１１ｆ１が設けられている。なお、これらのボルト孔１１ｅ１およびボルト孔１１ｆ１は、正方形状でなく、通常の丸孔でも勿論良いが、ボルト孔１１ｅ１等を通常の丸孔にした場合には、角根ボルト９１は使用できず、通常のボルトを使用することになる。
【００１６】
ここで、下側ブリッジ部１１ｂを一方側取付け片部１１ｃに連続させず切り離したのは、この箱状機器取付金具１は、１枚の金属板をその形状に金型で打ち抜く等して加工した後、まず、上側腕金取付け片部１１ｅと下側腕金取付け片部１１ｆとをそれぞれ一方側取付け片部１１ｃと他方側取付け片部１１ｄとに対し９０度折り曲げた後、一方側取付け片部１１ｃを一方側取付け片部１１ｃと他方側取付け片部１１ｄとに対し９０度折り曲げる必要があり、その折曲げの際に、一方側取付け片部１１ｃの側面と、上側腕金取付け片部１１ｅと下側腕金取付け片部１１ｆの対向する側辺との間に多少の隙間（曲げ代）が無いと折曲げ加工が困難だからである。そのため、図６（ａ）に示すように、一方側取付け片部１１ｃの側面と、上側腕金取付け片部１１ｅと下側腕金取付け片部１１ｆの対向する側辺との間に、長さＷ３程度のその隙間（曲げ代）を確保している。また、この切離しにより、金具１全体の重量を軽量化することもできる。
【００１７】
また、上側ブリッジ部１１ａは、その両側において一方側取付け片部１１ｃおよび他方側取付け片部１１ｄと連続しているものの、上側腕金取付け片部１１ｅを上側ブリッジ部１１ａに対し９０度折り曲げ、その後、一方側取付け片部１１ｃを上側ブリッジ部１１ａに対し９０度折り曲げるために、一方側取付け片部１１ｃの側面と、上側腕金取付け片部１１ｅの対向する側辺との間にも、間隔Ｗ３（図６（ａ）参照。）を設けている。
【００１８】
その一方、この例では、他方側取付け片部１１ｄは、ブレーカーや配線ＢＯＸ等の発熱量の小さい箱状機器３１ではなく、携帯電話の無線通信機等の発熱量の大きい箱状機器３２が取り付けられるため、他方側取付け片部１１ｄの側辺と上側ブリッジ部１１ａおよび下側ブリッジ部１１ｂの側辺との間隔Ｗ４（図６（ａ）参照。）は、一方側取付け片部１１ｃの側面と上側ブリッジ部１１ａおよび下側ブリッジ部１１ｂの側辺との間隔Ｗ３（図６（ａ）参照。）よりも大きくしている。また、他方側取付け片部１１ｄの側辺と上側ブリッジ部１１ａおよび下側ブリッジ部１１ｂの側辺との間隔Ｗ４をなるべく大きく確保することにより、一方側取付け片部１１ｃと、他方側取付け片部１１ｄとの間の間隔を広く確保することができるため、上側腕金取付け片部１１ｅと下側腕金取付け片部１１ｆとを腕金２に固定する際、ラチェットレンチ（図示せず。）等が装着し易く、また操作し易くなるという効果も得られる。
【００１９】
また、一方側取付け片部１１ｃおよび他方側取付け片部１１ｄそれぞれの上下方向の長さ（高さ）Ｈ１，Ｈ２は、それぞれ、取付けるべき箱状機器３１，３２の上下方向の長さ（高さ）に合わせて、箱状機器３１，３２の上下から突出しない長さにしている。そのため、ここでは、箱状機器３２の方が箱状機器３１よりも上下方向の長さが長いため、他方側取付け片部１１ｄの上下方向の長さ（高さ）Ｈ２は、一方側取付け片部１１ｃの上下方向の長さ（高さ）Ｈ１よりも長くしている。
【００２０】
同様に、箱状機器３１，３２における腕金２２の長手方向の長さ（幅）は、箱状機器３１の方が箱状機器３２よりも長いため、図４に示すように、一方側取付け片部１１ｃは上側ブリッジ部１１ａおよび下側ブリッジ部１１ｂに対し９０度折り曲げて箱状機器３１の底面３１ａに固定する一方、他方側取付け片部１１ｄは、他方側取付け片部１１ｃは上側ブリッジ部１１ａおよび下側ブリッジ部１１ｂに対し折り曲げずに箱状機器３２の両側面３２ａ，３２ｂに固定するように構成している。なお、一方側取付け片部１１ｃと他方側取付け片部１１ｄの上下両端部には、それぞれ、箱状機器３１，３２を固定するためのネジ孔１１ｃ１，１１ｄ１が設けられている。なお、一方側取付け片部１１ｃの短手方向の幅Ｗ５（図６（ｂ）参照。）と、他方側取付け片部１１ｄの短手方向の幅Ｗ６（図６（ａ）参照。）とは、それぞれ、取付けられる箱状機器３１，３２の大きさやネジ孔に合わせたものであるが、一方側取付け片部１１ｃの短手方向の幅Ｗ５の方が大きいため、重量軽減のため、その中央に長孔１１ｃ２を設けている。なお、長孔１１ｃ２は、省略できる。
【００２１】
一方、カラー部材１２は、図７（ａ）〜（ｃ）に示すように、下側腕金取付け片部１１ｆのボルト孔１１ｆ１と腕金２のボルト孔に通す角根ボルト９１がその中空部分を通るように、例えば、金属性の中空の円筒部材からなるもので、その長さ（高さ）Ｗ７は、カラー部材１２が腕金２の下側面と下側腕金取付け片部１１ｆの上側面との間に座金１３（図３や図４参照。）を介し挿入されることから、下側ブリッジ部１１ｂの幅（高さ）Ｗ２（図６（ａ）参照。）とほぼ同じにしている。なお、カラー部材１２は、本発明に必須のものではなく、省略可能であり、また、円筒状に限らず、下側腕金取付け片部１１ｆの上側面と腕金２の下側面との間に挿入できるものであれば、断面Ｕ字形状やＬ字形状のものでも良い。さらに、予め下側腕金取付け片部１１ｆの長さをカラー部材１２の長さ（高さ）Ｗ７分だけ長く確保しおき、その先端部からその長さ（高さ）Ｗ７分の箇所で上部に折り曲げて、上部に折り曲げた先端部にカラー部材１２の機能を持たすようにしても良い。
【００２２】
そのため、以上のような構成の金具本体１１とカラー部材１２とからなる箱状機器取付金具１を２つ用いて、上側ブリッジ部１１ａと下側ブリッジ部１１ｂとの間に腕金２を通し、腕金２に設けられたボルト孔と、上側腕金取付け片部１１ｅのボルト孔１１ｅ１と、下側腕金取付け片部１１ｆのボルト孔１１ｆ１とを合わせ、腕金２に設けられたボルト孔と下側腕金取付け片部１１ｆのボルト孔１１ｆ１との間にカラー部材１２を挿入し、上側腕金取付け片部１１ｅのボルト孔１１ｅ１と、腕金２のボルト孔と、カラー部材１２と、座金１３とを介して、下側腕金取付け片部１１ｆのボルト孔１１ｆ１とに角根ボルト９１を通してナット９２により締め付けて、図８の正面図や、図９の平面図に示すように、２つの箱状機器取付金具１を腕金２に取付ける。
【００２３】
そして、腕金２に取付けた２つの箱状機器取付金具１それぞれの一方側取付け片部１１ｃおよび他方側取付け片部１１ｄに、図１〜図４に示すように、箱状機器３１，３２を取付けて固定する。その結果、この箱状機器取付金具１によれば、取付けスペースや重量を増大させずに腕金２の両側に箱状機器３１，３２を取付けることができる。
【００２４】
また、この箱状機器取付金具１では、腕金２と下側腕金取付け片部１１ｆとの間にカラー部材１２と座金１３とを挿入しているため、角根ボルト９１とナット９２により強く締付けても、カラー部材１２によって下側腕金取付け片部１１ｆが変形することを防止できると共に、座金１３によって腕金２のへこみ等を防止できる。
【００２５】
特に、腕金２と下側腕金取付け片部１１ｆとの間にカラー部材１２等を挿入することによって、下側腕金取付け片部１１ｆが腕金２の下面から離れ、なるべく下方に設けることが可能になる。そのため、下側腕金取付け片部１１ｆのボルト孔１１ｆ１から突出した角根ボルト９１先端を締め付けるナット９２を回転させるラチェットレンチ（図示せず。）等が装着し易くなり、また操作し易くなるという効果も得られる。例えば、図１〜図３に示すように、箱状機器３１，３２の先方に、さらにＷｉＦｉアンテナ８１等のような湾曲形状の側面を有する箱状機器を設ける場合には、角根ボルト９１に螺合させるナット９２の位置がなるべく下方になると、箱状機器３１，３２の側面とＷｉＦｉアンテナ８１の側面との間隔が大きくなるため、ラチェットレンチ（図示せず。）等が装着し易く、操作し易くなる。
【００２６】
なお、上記の箱状機器取付金具１の金具本体１１では、上側腕金取付け片部１１ｅは、腕金２の上側面に接触しながら水平方向に延びるように上側ブリッジ部１１ａの下部を水平方向に折り曲げて設ける一方、下側腕金取付け片部１１ｆは、腕金２の下側面に対し一定の間隔を保持しながら水平方向に延びるように下側ブリッジ部１１ｂの下部を折り曲げて設けて説明したが、本発明では、これに限らず、例えば、図１０に示す金具本体１１Ａのように、上側腕金取付け片部１１ｅは、腕金２の上側面に対し一定の間隔を保持しながら水平方向に延びるように上側ブリッジ部１１ａの上部を水平方向に折り曲げて設ける一方、下側腕金取付け片部１１ｆは、腕金２の下側面に接触しながら水平方向に延びるように下側ブリッジ部１１ｂの上部を折り曲げて設けても良い。ただし、この場合には、腕金２の上側面と上側腕金取付け片部１１ｅの下側面との間に、カラー部材１２や座金１３を挿入することになる。
【００２７】
また、上記の箱状機器取付金具１の金具本体１１では、一方側取付け片部１１ｃのみ上側ブリッジ部１１ａおよび下側ブリッジ部１１ｂに対し９０度折り曲げて説明したが、本発明では、一方側取付け片部１１ｃおよび他方側取付け片部１１ｄの折り曲げの有無や折り曲げる方向は、それぞれに取付けるべき箱状機器３１，３２の大きさや形状に応じて変わり、例えば、図１１に示す金具本体１１Ｂのように、一方側取付け片部１１ｃおよび他方側取付け片部１１ｄの双方を上側ブリッジ部１１ａおよび下側ブリッジ部１１ｂに対し折り曲げなくても良いし、さらには、図１２に示す金具本体１１Ｃのように、一方側取付け片部１１ｃおよび他方側取付け片部１１ｄの双方を上側ブリッジ部１１ａおよび下側ブリッジ部１１ｂに対し９０度折り曲げたり、さらには図示はしないが一方側取付け片部１１ｃおよび他方側取付け片部１１ｄの双方を上側ブリッジ部１１ａおよび下側ブリッジ部１１ｂに対し同じ側にコの型に折り曲げるようにしても良い。
【符号の説明】
【００２８】
１  箱状機器取付金具
１１，１１Ａ，１１Ｂ，１１Ｃ  金具本体
１１ａ  上側ブリッジ部
１１ｂ  下側ブリッジ部
１１ｃ  一方側取付け片部
１１ｃ１  ネジ孔
１１ｃ２  長孔
１１ｄ  他方側取付け片部
１１ｄ１  ネジ孔
１１ｅ  上側腕金取付け片部
１１ｅ１  ボルト孔
１１ｆ  下側腕金取付け片部
１１ｆ１  ボルト孔
１２  カラー部材
１３  座金
２  腕金
３１，３２  箱状機器
４  柱
５  腕金取付バンド
６１  棒状アンテナ
６２  棒状アンテナ取付金具
７１  ＧＰＳアンテナ
７２  ＧＰＳアンテナ取付金具
８１  ＷｉＦｉアンテナ
８２  ＷｉＦｉアンテナ取付金具
９１  角根ボルト
９２  ナット
【図１】
2014042392.tif 000003
【図２】
2014042392.tif 000004
【図３】
2014042392.tif 000005
【図４】
2014042392.tif 000006
【図５】
2014042392.tif 000007
【図６】
2014042392.tif 000008
【図７】
2014042392.tif 000009
【図８】
2014042392.tif 000010
【図９】
2014042392.tif 000011
【図１０】
2014042392.tif 000012
【図１１】
2014042392.tif 000013
【図１２】
2014042392.tif 000014